(57)【要約】【課題】従来よりも積載物の容器への積載効率を向上させることができる均し装置及び均し方法を提供する。【解決手段】本均し装置１は、上面が開口した容器３の開口５の上に配され、容器に積載される積載物を均すための装置である。均し装置は、並列に配置され、それぞれが回転駆動される複数のスクリュー９Ａ，９Ｂを備え、複数のスクリューのうちの一のスクリューを駆動させた後に、一のスクリューに隣り合う他のスクリューを駆動させることを特徴とする。また、均し装置は、一のスクリューにより容器内で、一のスクリューの一端側から他端側へ搬送される積載物が、他端側において圧縮されて所定の圧縮状態になったときに、他のスクリューを駆動させるようにすることができる。【選択図】図１
2014040310.tif 000002
【特許請求の範囲】
【請求項１】
上面が開口した容器の前記開口の上に配され、前記容器に積載される積載物を均すための均し装置であって、
並列に配置され、それぞれが回転駆動される複数のスクリューを備え、
前記複数のスクリューのうちの一のスクリューを駆動させた後に、
前記一のスクリューに隣り合う他のスクリューを駆動させることを特徴とする均し装置。
【請求項２】
前記一のスクリューにより前記容器内で、前記一のスクリューの一端側から他端側へ搬送される前記積載物が、前記他端側において圧縮されて所定の圧縮状態になったときに、
前記他のスクリューを駆動させる請求項１に記載の均し装置。
【請求項３】
前記積載物は繊維を含む複合材粉砕品である請求項１又は２記載の均し装置。
【請求項４】
前記複数のスクリューは、前記容器の上端よりも上方に配されている請求項１乃至３のいずれか一項に記載の均し装置。
【請求項５】
前記複数のスクリューは、それぞれケーシングに収納され、
前記ケーシングは、下方が開口するとともに、両側壁が下方に向かって拡開した形態とされている請求項１乃至４のいずれか一項に記載の均し装置。
【請求項６】
前記複数のスクリューを昇降させる昇降手段を更に備え、
前記積載物を積載するときには、前記複数のスクリューを前記容器の上端よりも上方に配置するとともに、
前記積載物の積載が完了したときには、前記スクリューを前記容器に向かって下降させて、前記積載物を圧縮する請求項１乃至５のいずれか一項に記載の均し装置。
【請求項７】
上面が開口した容器に積載される積載物を均すための均し方法であって、
並列に配置され、それぞれが回転駆動される複数のスクリューを備えた均し装置を用い、
前記均し装置は、前記開口の上に配されるとともに、
前記複数のスクリューのうちの一のスクリューを駆動させた後に、
前記一のスクリューに隣り合う他のスクリューを駆動させることを特徴とする均し方法。
【発明の詳細な説明】
【技術分野】
【０００１】
本発明は、均し装置及び均し方法に関する。更に詳しくは、従来よりも積載物の容器への積載効率を向上させることができる均し装置及び均し方法に関する。
【背景技術】
【０００２】
破砕物や土砂、粉粒体等の流動性を呈する固体集合体を上面が開口した容器に積載物として積載する場合、容器上面の開口から投入された積載物は、容器内に山状に堆積した状態となる。従って、このような積載物を効率よく容器内に積載するには、積載物を均して山状に積み上がるのを抑制する必要がある。
容器内に投入された積載物を均すための装置としては、回転駆動されるスクリューを容器の開口の上に配した均し装置が知られている（例えば、非特許文献１参照）。
【先行技術文献】
【非特許文献】
【０００３】
【非特許文献１】井上電設株式会社、「製品紹介、積込搬出、コンテナ積（８ｍ３）」、［ｏｎｌｉｎｅ］、［平成２４年５月２８日検索］、インターネットＵＲＬ＜ｈｔｔｐ：／／ｗｗｗ．ｉｎｏｕｅ−ｄ．ｃｏ．ｊｐ／ｐｒｏｄｕｃｔｓ００７．ｈｔｍｌ＞
【発明の概要】
【発明が解決しようとする課題】
【０００４】
しかしながら、従来の均し装置の場合、繊維を含む複合材粉砕品等は互いに絡み合い、流動性を阻害し、必ずしも積載効率が良好であるとは言い難かった。このため、積載効率の更なる向上が望まれていた。
【０００５】
本発明は、上記現状に鑑み、従来よりも積載物の容器への積載効率を向上させることができる均し装置及び均し方法を提供することを目的とする。
【課題を解決するための手段】
【０００６】
上記問題点を解決するために、請求項１に記載の発明は、上面が開口した容器の前記開口の上に配され、前記容器に積載される積載物を均すための均し装置であって、
並列に配置され、それぞれが回転駆動される複数のスクリューを備え、
前記複数のスクリューのうちの一のスクリューを駆動させた後に、
前記一のスクリューに隣り合う他のスクリューを駆動させることを要旨とする。
【０００７】
請求項２に記載の発明は、請求項１において、前記一のスクリューにより前記容器内で、前記一のスクリューの一端側から他端側へ搬送される前記積載物が、前記他端側において圧縮されて所定の圧縮状態になったときに、前記他のスクリューを駆動させることを要旨とする。
【０００８】
請求項３に記載の発明は、請求項１又は２において、前記積載物は繊維を含む複合材粉砕品であることを要旨とする。
【０００９】
請求項４に記載の発明は、請求項１乃至３のいずれか一項において、前記複数のスクリューは、前記容器の上端よりも上方に配されていることを要旨とする。
【００１０】
請求項５に記載の発明は、請求項１乃至４のいずれか一項において、前記複数のスクリューは、それぞれケーシングに収納され、前記ケーシングは、下方が開口するとともに、両側壁が下方に向かって拡開した形態とされていることを要旨とする。
【００１１】
請求項６に記載の発明は、請求項１乃至５のいずれか一項において、前記複数のスクリューを昇降させる昇降手段を更に備え、前記積載物を積載するときには、前記複数のスクリューを前記容器の上端よりも上方に配置するとともに、前記積載物の積載が完了したときには、前記スクリューを前記容器に向かって下降させて、前記積載物を圧縮することを要旨とする。
【００１２】
請求項７に記載の発明は、上面が開口した容器に積載される積載物を均すための均し方法であって、並列に配置され、それぞれが回転駆動される複数のスクリューを備えた均し装置を用い、前記均し装置は、前記開口の上に配されるとともに、前記複数のスクリューのうちの一のスクリューを駆動させた後に、前記一のスクリューに隣り合う他のスクリューを駆動させることを要旨とする。
【発明の効果】
【００１３】
本発明の均し装置は、上面が開口した容器の開口部の上に配され、容器に積載される積載物を均すための均し装置である。均し装置は、並列に配置され、それぞれが回転駆動される複数のスクリューを備えている。そして、複数のスクリューのうちの一のスクリューを駆動させた後に、一のスクリューに隣り合う他のスクリューを駆動させるようにしている。これにより、投入された積載物が複数のスクリューによって容器内で移動させられ、容器内に万遍なく充填される。その結果、積載物の容器への積載効率を向上させることができる。
【００１４】
また、一のスクリューにより容器内で、一のスクリューの一端側から他端側へ搬送される積載物が、他端側において圧縮されて所定の圧縮状態になったときに、他のスクリューを駆動させる場合は、投入された積載物を容器内により万遍なく充填することができ、積載物の容器への積載効率をより向上させることができる。
【００１５】
更に、積載物が繊維を含む複合材粉砕品である場合は、繊維を含むことにより絡み合いやすい積載物を好適に均すことができる。
【００１６】
また、複数のスクリューが容器の上端よりも上方に配されている場合は、より多くの積載物を好適に容器に積載することができる。
【００１７】
更に、複数のスクリューがそれぞれケーシングに収納され、ケーシングは下方が開口するとともに、両側壁が下方に向かって拡開した形態とされている場合は、以下の作用効果を有する。積載物はスクリューにより移動させられる際に、スクリューによって撹拌されて飛び散るおそれがある。この発明では、複数のスクリューがそれぞれケーシングに収納されているので、ケーシングにより、飛び散ることが抑制される。また、ケーシングの両側壁が下方に向かって拡開しているので、ケーシングの両側壁が下方に向かって平行な場合に比べて、ケーシング内において積載物が詰まるのを抑制することができる。
【００１８】
また、複数のスクリューを昇降させる昇降手段を更に備え、昇降手段により次の動作をする場合には以下の作用効果を有する。すなわち、積載物を積載するときには、複数のスクリューを容器の上端よりも上方に配置するとともに、積載物の積載が完了したときには、スクリューを容器に向かって下降させて、積載物を圧縮する場合は、より多くの積載物を容器に積載することができる。
【００１９】
本発明の均し方法は、並列に配置され、それぞれが回転駆動される複数のスクリューを備えた均し装置を用い、複数のスクリューのうちの一のスクリューを駆動させた後に、一のスクリューに隣り合う他のスクリューを駆動させるようにしている。これにより、投入された積載物が複数のスクリューによって容器内で移動させられ、容器内に万遍なく充填される。その結果、積載物の容器への積載効率を向上させることができる。
【図面の簡単な説明】
【００２０】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】実施例に係る均し装置の斜視図である。
【図２】実施例に係る均し装置の縦断面図である。
【図３】実施例に係る均し装置を備える積載装置の概略を示す側面図である。
【図４】実施例に係る均し装置を備える積載装置の概略を示す正面図である。
【図５】実施例に係る均し装置の動作を説明する説明図である。
【図６】実施例に係る均し装置の動作を説明する説明図である。
【図７】実施例に係る均し装置の動作を説明する説明図である。
【図８】実施例に係る均し装置の動作を説明する説明図である。
【図９】実施例に係る均し装置の動作を説明する説明図である。
【図１０】実施例に係る均し装置の動作を説明する説明図である。
【図１１】実施例に係る均し装置のスクリューの周辺を説明する説明図である。
【図１２】側壁が拡開していない場合のスクリューの周辺を説明する説明図である。
【図１３】実施例に係る均し装置の動作を説明する説明図である。
【図１４】実施例に係る均し装置の動作を説明する説明図である。
【図１５】実施例に係る均し装置の動作を説明する説明図である。
【発明を実施するための形態】
【００２１】
ここで示される事項は例示的なもの及び本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００２２】
１．均し装置
本発明に係る均し装置（１）は、上面が開口した容器（３）の開口（５）の上に配される。容器（３）に積載される積載物（７）を均すための均し装置である。この均し装置は、並列に配置され、それぞれが回転駆動される複数のスクリュー（９Ａ，９Ｂ）を備えている。
上記「容器」の構造、形状、大きさ、材質等は特に問わない。容器としては、例えば、産業廃棄物の輸送等に用いられる上面が開口した輸送用コンテナ等であることができる。
上記「積載物」の種類、大きさ、構成等は特に問わない。この積載物は、例えば、不織布、発泡樹脂等の成形体等の破砕物等であることができる。また、積載物は、特に、車両のシュレッダーダストから金属、ガラス、ワイヤハーネス等のダストを除いた残分に含まれる破砕物や、フロアトリム、ルーフトリム、ドアトリム等の車両用内装材を製造するときのトリミングにより発生する端材等の廃材を粉砕した複合材粉砕品等であることができる。
上記「複数のスクリュー」の構造、形状、大きさ、材質、個数、駆動方式等は特に問わない。複数のスクリューは、例えば、上記容器の長手方向に沿ってそれぞれ平行となるように、並列に配置されていることができる。また、各スクリューは、独立して駆動できるようにされている。独立して駆動するために、各スクリュー毎に別の駆動装置を設けてもよく、また、一の駆動装置からの駆動力の伝達をギア等の伝達手段によって切り替えて各スクリューを独立して駆動してもよい。
【００２３】
本発明に係る均し装置は、複数のスクリューのうちの一のスクリューを駆動させた後に、一のスクリューに隣り合う他のスクリューを駆動させる形態としている。この形態は、例えば、一のスクリューにより、容器内で、一のスクリューの一端側から他端側へ搬送される積載物が、他端側において圧縮されて所定の圧縮状態になったときに、他のスクリューを駆動させる形態であることができる。所定の圧縮状態となったか否かの判断方法は、特に限定されない。例えば、上記他端側（スクリューの搬送方向前方）に設置した圧力センサにより積載物の圧縮状態を検知してもよいし、容器内の積載物の状態をカメラにより観察し、その画像を処理し判断してもよい。もちろん目視により観察してもよい。
【００２４】
本発明に係る均し装置は、例えば、複数のスクリューが容器の上端よりも上方に配されている形態であることができる（例えば、図２、図３等参照）。このようにすることで、容器の容積を最大限に利用でき、より多くの積載物を積載することができる。
本発明に係る均し装置は、例えば、複数のスクリューがそれぞれケーシング（１１Ａ，１１Ｂ）に収納され、ケーシングは、下方が開口するとともに、両側壁が下方に向かって拡開した形態とされていることができる（例えば、図２、図１１等参照）。この場合、均し装置は、容器の開口を覆うように設けられた蓋部（１３）を更に備え、ケーシングは、この蓋部と一体に設けられていることができる。
また、拡開している場合には、ケーシングの側壁（１５Ａ，１５Ｂ）と、ケーシングの上壁（１７Ａ，１７Ｂ）と垂直な仮想線と、のなす角度θが、２０〜４５度、特に２０〜３５度であることが好ましい（例えば、図１１等参照）。このように傾斜していることで、ケーシング内において積載物が詰まるのを効果的に抑制することができる。
【００２５】
２．均し方法
本発明の均し方法では、上述の均し装置を用いる。この均し方法での均し装置の構成及び動作については前述の説明をそのまま適用することができる。
【実施例】
【００２６】
以下、図面を参照しつつ実施例により本発明をより具体的に説明する。
（１）均し装置の構成
図１に示すように、均し装置１は、上面が開口した矩形の箱状の容器３の開口５の上に配される。この均し装置１は、容器３に積載される積載物７を均すための装置である。均し装置１には、略水平の状態で並列に配置され、それぞれが回転駆動される二つのスクリュー９Ａ，９Ｂが備えられている。スクリュー９Ａ，９Ｂの羽根はフラットバーをスパイラル状に巻いた形態とされている。本実施例では、スクリュー９Ａ，９Ｂは左右対称のものが使用されている。また、スクリュー９Ａ，９Ｂには、図示しない駆動装置がそれぞれ接続されている。駆動装置が駆動し、スクリュー９Ａ，９Ｂが回転することにより、積載物７は、図３における右側から左側へ搬送されるようになっている。この駆動装置は図示しない制御装置により制御されている。
図１及び図２に示すように、各スクリュー９Ａ，９Ｂはケーシング１１Ａ，１１Ｂに収納されている。ケーシング１１Ａ，１１Ｂは、側壁１５Ａ，１５Ｂと、上壁１７Ａ，１７Ｂと、を備えている。また、ケーシング１１Ａ，１１Ｂは、下方が開放されているとともに、側壁１５Ａ，１５Ｂが下方に向かって拡開した形態とされている。ケーシング１１Ａ，１１Ｂは、容器２の開口５を覆うように設けられた蓋部１３と一体に設けられている。
【００２７】
図３及び図４には、均し装置１を備えた積載装置１９が示されている。積載装置１９は、容器３と、その上方に配される均し装置１と、均し装置１の上方に配されるサイクロン２１と、を備えてなる。サイクロン２１では、空気搬送されてくる複合材粉砕品の塵が含まれた含塵気流から、固形物（ダスト）を遠心分離する。この固形物が積載物７となる。サイクロン２１で分離された積載物７は、サイクロン２１と均し装置１とを結ぶように配置される二股の配送管２３を通って、均し装置１に供給される。図３及び図４に示されるように、二股の配送管２３の一つの枝管２５は、ケーシング１１Ａのスクリュー９Ａの基端部付近に接続されており、積載物７が、スクリュー９Ａの基端部付近に供給されるようになっている。二股の配送管２３の一つの枝管２７は、ケーシング１１Ｂのスクリュー９Ｂの基端部付近に接続されており、積載物７が、スクリュー９Ｂの基端部付近に供給されるようになっている。また、配送管２３内には、切り替えシャッター２９が備えられ、これにより、積載物７の通過経路が、枝管２５となるか、または枝管２７となるかが振り分けられるようになっている。
【００２８】
また、図１〜図４に示すように、均し装置１にはフック３１が取り付けられており、このフック３１にはワイヤが結合されている。ワイヤの先には図示しない昇降装置（本願の昇降手段に相当）が備えられている。昇降装置は、均し装置１を、容器３の上端３Ａと、その上端よりも高い所定位置の間で昇降可能としている（図１３〜図１５参照）。
また、図１に示すように、スクリュー９Ａ，９Ｂの搬送方向前方には、圧力センサ３３がそれぞれ設けられている。この圧力センサ３３により容器３内の積載物７の圧縮状態を把握することが可能とされている。
【００２９】
（２）実施例の作用効果
さて、ここで本実施例の均し装置１及び均し方法の作用効果について説明する。
複合材粉砕品は、図示しない配管にて空気搬送されてサイクロン２１に運び込まれる。そして、サイクロン２１では、複合材粉砕品の塵が含まれた含塵気流から、固形物が遠心分離される。この固形物が積載物７となるが、積載物７は、配送管２３を通って、均し装置１に供給される。初期状態では、切り替えシャッター２９は、枝管２５を開状態とし、枝管２７を閉状態としている。そして、スクリュー９Ａは回転駆動し、スクリュー９Ｂは停止している。この状態では、図５に示すように、スクリュー９Ａに積載物７が供給されている。そして、図７に示す状態から、徐々に積載物７が搬送されて、図８を経て、図９の状態になる。
【００３０】
図９のように、積載物７が容器３の内側壁のうち、先端側にあたる位置まで到達し、さらに積載物７が搬送されて図１０となると、積載物が、先端側（本発明の他端側に相当）において圧縮される。そして、積載物７が容器３の内側壁を押すこととなり、この力が、所定の圧力まで達すると、圧力センサ３３が検知し、切り替えシャッター２９を、枝管２５を閉状態とし、枝管２７を開状態とするとともに、スクリュー９Ａを停止させ、スクリュー９Ｂを駆動回転する。この場合には、図６のように、スクリュー９Ｂに積載物７が供給された状態となる。そして、スクリュー９Ｂにより、積載物７が容器３の中で均される。
【００３１】
本実施例の均し装置１では、スクリュー９Ａを回転駆動させた後に、スクリュー９Ａに隣り合うスクリュー９Ｂを回転駆動させるようにしている。これにより、積載物７が容器３の中に万遍なく充填される。その結果、積載物７の容器３への積載効率を向上させることができる。
【００３２】
また、本実施例では、スクリュー９Ａにより容器３内で搬送された積載物７が、圧縮されて所定の圧縮状態になったときに、圧力センサ３３が検知する。すると、スクリュー９Ａが停止して、スクリュー９Ｂが回転駆動されるので、積載物７を容器３の中でより万遍なく充填することができ、積載物７の容器３への積載効率をより向上させることができる。すなわち、容器の３の長手方向のみならず、幅方向にも積載物７を均すことができる。
【００３３】
また、本実施例では、積載物７が繊維を含む複合材粉砕品であるので、繊維を含むことにより絡み合いやすい積載物７を好適に均すことができる。
また、複数のスクリュー９Ａ，９Ｂが容器３の上端３Ａよりも上方に配されているので、より多くの積載物７を好適に容器３に積載することができる。
【００３４】
また、本実施例では、複数のスクリュー９Ａ，９Ｂがそれぞれケーシング１１Ａ，１１Ｂに収納され、ケーシング１１Ａ，１１Ｂは下方が開口するとともに、両側壁が下方に向かって拡開した形態とされているので、以下の作用効果を有する。積載物７はスクリュー９Ａ，９Ｂにより移動させられる際に、スクリューによって撹拌されて飛び散るおそれがある。本実施例では、図１１のように、スクリュー９Ａ，９Ｂがケーシング１１Ａ，１１Ｂに収納されているので、ケーシング１１Ａ，１１Ｂにより、積載物７の飛び散りが抑制される。また、ケーシング１１Ａ，１１Ｂの両側壁が下方に向かって拡開しているので、図１２のようにケーシングの両側壁が下方に向かって平行な場合に比べて、ケーシング１１Ａ，１１Ｂ内において積載物７が詰まるのを抑制することができる。
【００３５】
また、本実施例では、複数のスクリュー９Ａ，９Ｂを昇降させる昇降手段を更に備えており、この昇降手段により次の動作をする場合には以下の作用効果を有する。すなわち、図１３のように、積載物７を積載するときには、複数のスクリュー９Ａ，９Ｂを容器３の上端３Ａよりも上方に配置する。この際、容器３の上端３Ａと、蓋部１３と、の間に、積載物７が容器３から溢れないように容器３を囲む柔軟な材料からなる幕材３Ｂが設定されている。積載物７の積載が完了したときには、図１４の状態を経て、図１５のようにスクリュー９Ａ，９Ｂを容器３に向かって下降させて、積載物７を圧縮する。このようにすると、より多くの積載物７を容器３に積載することができる。
【００３６】
また、本実施例の均し方法では、並列に配置され、それぞれが回転駆動される複数のスクリュー９Ａ，９Ｂを備えた均し装置１を用いて、スクリュー９Ａを回転駆動させた後に、隣り合うスクリュー９Ｂを回転駆動させるようにしている。これにより、積載物７が容器３内に万遍なく充填される。その結果、積載物７の容器３への積載効率を向上させることができる。
【００３７】
尚、本発明においては、上記実施例に限られず、目的、用途に応じて本発明の範囲内で種々変更した実施例とすることができる。即ち、上記実施例では、スクリューが２つの場合を例示したが、これに限定されず、３つ以上であってもよい。
また、本実施例では、サイクロン２１により、固形物を遠心分離したものを積載物７とした例を示したが、必ずしもサイクロン２１を用いる必要はない。
また、本実施例では、スクリュー９Ａにより容器３内で搬送された積載物７の圧縮状態を圧力センサ３３により検知する例を示したが、これに限定されず、容器３内の積載物７の状態をカメラにより観察し、その画像を処理し判断してもよい。もちろん目視により観察してもよい。
また、本実施例では、スクリュー９Ａ，９Ｂがそれぞれケーシング１１Ａ，１１Ｂに収納されているものを例示したが、これに限定されず、ケーシングを備えてなくてもよい。
また、本実施例では、複合材粉砕品が空気搬送される場合を例示したが、搬送方法はこれに限定されない。
【００３８】
前述の例は単に説明を目的とするものでしかなく、本発明を限定するものと解釈されるものではない。本発明を典型的な実施形態の例を挙げて説明したが、本発明の記述および図示において使用された文言は、限定的な文言ではなく説明的および例示的なものであると理解される。ここで詳述したように、その形態において本発明の範囲または精神から逸脱することなく、添付の特許請求の範囲内で変更が可能である。ここでは、本発明の詳述に特定の構造、材料および実施例を参照したが、本発明をここにおける開示事項に限定することを意図するものではなく、むしろ、本発明は添付の特許請求の範囲内における、機能的に同等の構造、方法、使用の全てに及ぶものとする。
【００３９】
本発明は上記で詳述した実施形態に限定されず、本発明の請求項に示した範囲で様々な変形または変更が可能である。
【産業上の利用可能性】
【００４０】
容器の中の積載物を均すための均し装置及び均し方法として広く利用される。
【符号の説明】
【００４１】
１；均し装置、３；容器、３Ａ；容器の上端、５；開口、７；積載物、９；スクリュー（９Ａ，９Ｂ）、１１；ケーシング（１１Ａ，１１Ｂ）、１３；蓋部、１５；ケーシングの側壁、１７；ケーシングの上壁、１９；積載装置、２１；サイクロン、２３；配送管、２５；枝管、２７；枝管、２９；切り替えシャッター、３１；フック、３３；圧力センサ。
【図１】
2014040310.tif 000003
【図２】
2014040310.tif 000004
【図３】
2014040310.tif 000005
【図４】
2014040310.tif 000006
【図５】
2014040310.tif 000007
【図６】
2014040310.tif 000008
【図７】
2014040310.tif 000009
【図８】
2014040310.tif 000010
【図９】
2014040310.tif 000011
【図１０】
2014040310.tif 000012
【図１１】
2014040310.tif 000013
【図１２】
2014040310.tif 000014
【図１３】
2014040310.tif 000015
【図１４】
2014040310.tif 000016
【図１５】
2014040310.tif 000017